(57)【要約】【課題】晶析材の詰まりをなくし、長期に渡り安定したリン除去性能を有し、品質が安定し純度が高いヒドロキシアパタイトの微粒子結晶としてリンを回収できるリン資源回収装置を提供する。【解決手段】攪拌部２内のリン酸イオンを含む原水Ｄにヒドロキシアパタイトの微粒子結晶を晶析材として懸濁する。原水ＤのｐＨを６．０以上に調整する。原水Ｄ中のリンとカルシウムとのモル比が３：５よりもカルシウムイオンが２０ｍｇ／Ｌ以上多くなるように調整する。晶析材にリン酸イオンがヒドロキシアパタイトとして晶析する。攪拌部２に設けた固液分離部３１で晶析材を処理水Ｆから固液分離して取り出す。固液分離部３１での処理水Ｆの滞留時間を１０分以上２時間以下とするとともに、水面積負荷を０．５ｃｍ／分以上５ｃｍ／分以下とする。【選択図】        図１
2004321992.tif 000002
【特許請求の範囲】
【請求項１】
リン酸イオンを含み、ヒドロキシアパタイトの結晶が晶析材として懸濁された被処理水が貯留される反応槽と、
この反応槽に貯留された前記被処理水のｐＨを６．０以上とするｐＨ調整手段と、
前記反応槽に貯留された前記被処理水にカルシウムイオンを加えて、この被処理水中のリンとカルシウムとのモル比が３：５よりも前記カルシウムイオンが２０ｍｇ／Ｌ以上多くなるように調整させて、前記晶析材に前記リン酸イオンを晶析させるカルシウム供給手段と、
前記反応槽に設けられ、前記晶析材を前記被処理水から固液分離させてこの被処理水から前記リン酸イオンが除去された処理水が取り出され、この処理水の滞留時間が１０分以上２時間以下とされた固液分離部と
を具備したことを特徴としたリン資源回収装置。
【請求項２】
リン酸イオンを含み、ヒドロキシアパタイトの結晶が晶析材として懸濁された被処理水が貯留される反応槽と、
この反応槽に貯留された前記被処理水のｐＨを６．０以上とするｐＨ調整手段と、
前記反応槽に貯留された前記被処理水にカルシウムイオンを加えて、この被処理水中のリンとカルシウムとのモル比が３：５よりも前記カルシウムイオンが２０ｍｇ／Ｌ以上多くなるように調整させて、前記晶析材に前記リン酸イオンを晶析させるカルシウム供給手段と、
前記反応槽に設けられ、前記晶析材を前記被処理水から固液分離させてこの被処理水から前記リン酸イオンが除去された処理水が取り出され、この処理水の水面積負荷が０．５ｃｍ／分以上５ｍ／分以下とされた固液分離部と
を具備したことを特徴としたリン資源回収装置。
【請求項３】
反応槽に貯留され、ヒドロキシアパタイトの結晶が晶析材として懸濁された被処理水を攪拌させる攪拌手段を具備した
ことを特徴とした請求項１または２記載のリン資源回収装置。
【請求項４】
被処理水は、高濃度リン含有排水である
ことを特徴とした請求項１ないし３いずれか記載のリン資源回収装置。
【請求項５】
被処理水は、し尿生物処理水である
ことを特徴とした請求項１ないし４いずれか記載のリン資源回収装置。
【発明の詳細な説明】
【０００１】
【発明の属する技術分野】
本発明は、リン酸イオンを含んだ被処理水にカルシウムイオンを加えて、この被処理水中のリン酸イオンをヒドロキシアパタイトして晶析させて除去するリン資源回収装置に関する。
【０００２】
【従来の技術】
従来、この種のリン資源回収装置は、リン酸イオンを含有した被処理水としての原水中のリン酸イオンをヒドロキシアパタイトとして晶析させて除去し、晶析物として回収している。具体的には、リン酸イオンを含有した原水を、ヒドロキシアパタイトの微結晶を晶析材として懸濁させた反応槽としての攪拌部に導入させて貯留させる。そして、この攪拌部内の原水にカルシウム溶液を添加してカルシウムイオンを加えて、リンとカルシウムとのモル比が３：５よりもカルシウムイオンが４０ｍｇ／Ｌ以上多くなるようにするとともに、ｐＨが６．０以上となるように調整しつつ攪拌して、この原水に含まれているリン酸イオンを晶析材に晶析させて除去する。この後、攪拌部に設けられた固液分離部により、原水からリン酸イオンが除去された処理水と晶析材とを固液分離して、この晶析材のスラリーをポンプによって再び攪拌部に返送させる（例えば、特許文献１参照。）。
【０００３】
ところが、上記リン資源回収装置では、固液分離部で分離した晶析材のスラリーをポンプで攪拌部に返送する際に、このポンプが非常に詰まりやすく、一度詰まると全く返送できなくなってしまう。このため、上記リン資源回収装置による処理を一時的に中断させなければならない事態が生じてしまうとともに、固液分離部から晶析材の微結晶が流出しやすく、この晶析材の流出量が増加するとリン除去性能が低下し、長期的な処理が安定しない。
【０００４】
さらに、この種のリン資源回収装置としては、上下方向に沿った軸方向を有する二重の円筒状に形成されたドラフトチューブである攪拌部内に、リン酸イオンを含んだ原水を貯留させる。そして、この攪拌部内のリン酸イオンを含んだ原水にヒドロキシアパタイトの微結晶を晶析材として懸濁させるとともに、この原水にカルシウム溶液を添加してカルシウムイオンを加え、さらにｐＨ調整用のアルカリとして水酸化ナトリウム（ＮａＯＨ）溶液を添加する。この状態で、この攪拌部内の原水を攪拌手段としての攪拌機あるいは曝気手段での曝気による空気によって、上向き流あるいは下向き流として循環させて、この原水中のリン酸イオンをアパタイトあるいはリン酸カルシウムとして晶析させ、この原水中のリン酸イオンを除去している（例えば、特許文献２および３参照。）。
【０００５】
【特許文献１】
特開昭６２−２５０９９０号公報（第３−６頁、第１図）
【０００６】
【特許文献２】
特開２０００−３０１１６６号公報（第２−３頁、図１）
【０００７】
【特許文献３】
特開２０００−３１７４９２号公報（第３−４頁、図１）
【０００８】
【発明が解決しようとする課題】
しかしながら、上述した各リン資源回収装置では、リン酸イオンを含んだ原水を攪拌部内で循環させながら、この原水中のリン酸イオンを晶析させて除去している。このため、この原水、この原水に添加されるカルシウム溶液および水酸化ナトリウム溶液それぞれの流入点で、リン酸イオン濃度、カルシウム濃度、ｐＨのいずれもが上昇してしまい不飽和度が上昇してしまう。したがって、これら原水、カルシウム溶液、水酸化ナトリウム溶液それぞれの流入点が、安定したヒドロキシアパタイトの結晶を生成できない不安定領域となってしまい、急速に結晶化が進んで活性度が低くなり、リン除去性能の低下などが生じてしまうので、安定した処理ができにくくなる。
【０００９】
特に、原水中のリン酸イオン濃度が高濃度である場合には、この原水に添加させるカルシウム溶液の添加量もそれに応じて増加させる必要があり、攪拌部内に凝集汚泥が生成されてしまう。このため、この場合には、ヒドロキシアパタイトの結晶としての回収量が減少するだけでなく、回収物がヒドロキシアパタイトの結晶と凝集汚泥との混合物となり、脱水性の悪化や品質の低下などにより利用価値が減少してしまうという問題を有している。
【００１０】
本発明は、このような点に鑑みなされたもので、晶析材の詰まりをなくし、長期に渡り安定したリン除去性能を有し、品質が安定し純度が高いヒドロキシアパタイトの結晶としてリンを回収できるリン資源回収装置を提供することを目的する。
【００１１】
【課題を解決するための手段】
請求項１記載のリン資源回収装置は、リン酸イオンを含み、ヒドロキシアパタイトの結晶が晶析材として懸濁された被処理水が貯留される反応槽と、この反応槽に貯留された前記被処理水のｐＨを６．０以上とするｐＨ調整手段と、前記反応槽に貯留された前記被処理水にカルシウムイオンを加えて、この被処理水中のリンとカルシウムとのモル比が３：５よりも前記カルシウムイオンが２０ｍｇ／Ｌ以上多くなるように調整させて、前記晶析材に前記リン酸イオンを晶析させるカルシウム供給手段と、前記反応槽に設けられ、前記晶析材を前記被処理水から固液分離させてこの被処理水から前記リン酸イオンが除去された処理水が取り出され、この処理水の滞留時間が１０分以上２時間以下とされた固液分離部とを具備したものである。
【００１２】
そして、反応槽に貯留されヒドロキシアパタイトの結晶が晶析材として懸濁されたリン酸イオンを含む被処理水のｐＨをｐＨ調整手段にて６．０以上とするとともに、カルシウム供給手段にてカルシウムイオンを加えて、この被処理水中のリンとカルシウムとのモル比が３：５よりもカルシウムイオンが２０ｍｇ／Ｌ以上多くなるように調整して、晶析材にリン酸イオンをアパタイトとして晶析させる。さらに、処理槽に設けた固液分離部で晶析材を被処理水から固液分離させてこの被処理水からリン酸イオンが除去された処理水を取り出す。このとき、この固液分離部での処理水の滞留時間を１０分以上２時間以下としたことにより、この固液分離部での晶析材の詰まりを防止できるから、反応槽でのリン除去性能を長期に渡って安定できるとともに、品質が安定し純度が高いヒドロキシアパタイトの結晶としてリンを回収できる。
【００１３】
請求項２記載のリン資源回収装置は、リン酸イオンを含み、ヒドロキシアパタイトの結晶が晶析材として懸濁された被処理水が貯留される反応槽と、この反応槽に貯留された前記被処理水のｐＨを６．０以上とするｐＨ調整手段と、前記反応槽に貯留された前記被処理水にカルシウムイオンを加えて、この被処理水中のリンとカルシウムとのモル比が３：５よりも前記カルシウムイオンが２０ｍｇ／Ｌ以上多くなるように調整させて、前記晶析材に前記リン酸イオンを晶析させるカルシウム供給手段と、前記反応槽に設けられ、前記晶析材を前記被処理水から固液分離させてこの被処理水から前記リン酸イオンが除去された処理水が取り出され、この処理水の水面積負荷が０．５ｃｍ／分以上５ｃｍ／分以下とされた固液分離部とを具備したものである。
【００１４】
そして、反応槽に貯留されヒドロキシアパタイトの結晶が晶析材として懸濁されたリン酸イオンを含む被処理水のｐＨをｐＨ調整手段にて６．０以上とするとともに、カルシウム供給手段にてカルシウムイオンを加えて、この被処理水中のリンとカルシウムとのモル比が３：５よりもカルシウムイオンが２０ｍｇ／Ｌ以上多くなるように調整して、晶析材にリン酸イオンをアパタイトとして晶析させる。さらに、処理槽に設けた固液分離部で晶析材を被処理水から固液分離させてこの被処理水からリン酸イオンが除去された処理水を取り出す。このとき、この固液分離部での処理水の水面積負荷を０．５ｃｍ／分以上５ｃｍ／分以下とすることによっても、この固液分離部での晶析材の詰まりを防止できるから、反応槽でのリン除去性能を長期に渡って安定できるとともに、品質が安定し純度が高いヒドロキシアパタイトの結晶としてリンを回収できる。
【００１５】
請求項３記載のリン資源回収装置は、請求項１または２記載のリン資源回収装置において、反応槽に貯留され、ヒドロキシアパタイトの結晶が晶析材として懸濁された被処理水を攪拌させる攪拌手段を具備したものである。
【００１６】
そして、反応槽に貯留され、ヒドロキシアパタイトの結晶が晶析材として懸濁された被処理水を攪拌手段させることにより、この反応槽に貯留された被処理水の調整が容易になる。
【００１７】
請求項４記載のリン資源回収装置は、請求項１ないし３いずれか記載のリン資源回収装置において、被処理水は、高濃度リン含有排水である。
【００１８】
そして、被処理水を高濃度リン含有排水としても、固液分離部での晶析材の詰まりを防止できるから、反応槽でのリン除去性能を長期に渡って安定できるとともに、品質が安定し純度が高いヒドロキシアパタイトの結晶としてリンを回収できる。
【００１９】
請求項５記載のリン資源回収装置は、請求項１ないし４いずれか記載のリン資源回収装置において、被処理水は、し尿生物処理水である。
【００２０】
そして、被処理水をし尿生物処理水としても、固液分離部での晶析材の詰まりを防止できるから、反応槽でのリン除去性能を長期に渡って安定できるとともに、品質が安定し純度が高いヒドロキシアパタイトの結晶としてリンを回収できる。
【００２１】
【発明の実施の形態】
以下、本発明のリン資源回収装置の第１の実施の形態の構成を図１を参照して説明する。
【００２２】
図１において、１はリン回収手段としてのリン資源回収装置で、このリン資源回収装置１は、例えばし尿処理場や清涼飲料水製造工場等から排出され高濃度にリンを含有するし尿生物処理水などの高濃度リン含有排水である被処理水としての原水Ｄを浄化処理するとともに、この原水Ｄ中のリン酸イオン（Ｐ０４３−）を水酸化リン酸カルシウムであるヒドロキシアパタイト（Ｃａ５（ＰＯ４）３ＯＨ）、いわゆるアパタイトの微粒子結晶として回収する原水処理装置である。また、このリン資源回収装置１へと流入される原水Ｄは、ＢＯＤ物質などの有機成分が除去され、リン酸イオン等を多量に含んでいる。
【００２３】
そして、このリン資源回収装置１は、図１に示すように、原水Ｄが内部へと通水されて貯留される有底円筒状の反応槽である処理槽としての攪拌部２を備えている。この攪拌部２内に貯留される原水Ｄには、ヒドロキシアパタイトの微粒子結晶が晶析材として懸濁されている。また、この攪拌部２は、上下方向に軸方向を有する円筒状の胴体部３の下端部に、下方に向けて中央部が突出した円錐面状である漏斗状の底面部４が取り付けられて構成されている。さらに、この攪拌部２の底面部４の中央には、この攪拌部２内の原水Ｄからリン酸イオンが除去されたことにより増加した晶析材を取り出して回収するバルブ５が取り付けられている。このとき、このバルブ５から取り出されて回収された晶析材である晶析物は、く溶性リン酸を３０％以上含有している。
【００２４】
また、この攪拌部２の胴体部３の上側には、開口部６が形成されており、この攪拌部２の開口部６の上方には、この攪拌部２内に貯留された原水ＤのｐＨを調整して、この原水ＤのｐＨを所定値、例えば６．０以上とするｐＨ調整手段としてのｐＨ制御装置１１が取り付けられている。このｐＨ制御装置１１には、攪拌部２内に貯留された原水Ｄ中に先端部が沈められ、この原水ＤのｐＨを測定するｐＨ電極１２が接続されている。また、このｐＨ制御装置１１には、ｐＨ電極１２にて検知した攪拌部２内の原水ＤのｐＨに応じて、この原水Ｄに水酸化ナトリウム（ＮａＯＨ）などのアルカリを必要に応じて添加して、この原水ＤのｐＨを６．０以上、より好ましくはｐＨを７．３以上８．３以下に維持するアルカリ供給手段としてのアルカリ供給装置１３に接続されている。
【００２５】
このアルカリ供給装置１３は、攪拌部２内に貯留された原水Ｄへとアルカリを供給する細長円筒状のアルカリ供給管１４を備えている。このアルカリ供給管１４には、ｐＨ制御装置１１の制御に応じてアルカリ供給管１４を介して攪拌部２内へとアルカリを供給させるアルカリ供給ポンプ１５が接続されている。すなわち、このアルカリ供給装置１３は、アルカリ供給ポンプ１５を制御することにより、アルカリがアルカリ供給管１４から攪拌部２内に供給されて、この攪拌部２内の原水ＤのｐＨを所定の値に調整させる。
【００２６】
さらに、攪拌部２の開口部６の上側には、この攪拌部２内に貯留された原水Ｄにカルシウム含有液、例えば塩化カルシウム溶液などを加えて、この原水Ｄにカルシウムイオン（Ｃａ２＋）を添加するカルシウム供給手段としてのカルシウム供給装置１６が取り付けられている。このカルシウム供給装置１６は、原水Ｄ中のリンとカルシウムとのモル比が３：５よりもカルシウムイオンの濃度が２０ｍｇ／Ｌ以上、より好ましくは、４０ｍｇ／Ｌ以上９０ｍｇ／Ｌ以下の割合で多くなるように調整して、この原水Ｄ中に懸濁されたヒドロキシアパタイトの微粒子結晶に、この原水Ｄ中のリン酸イオンをヒドロキシアパタイトとして晶析させて、この原水Ｄからリン酸イオンを除去させる。
【００２７】
また、このカルシウム供給装置１６は、攪拌部２内に貯留された原水Ｄへとカルシウム溶液を加えてカルシウムイオンを供給する細長円筒状のカルシウム供給管１７を備えている。このカルシウム供給管１７には、このカルシウム供給管１７を介して攪拌部２内へとカルシウムイオンを供給させるカルシウム供給ポンプ１８が接続されている。すなわち、カルシウム供給装置１６は、カルシウム供給ポンプ１８を制御することにより、カルシウムイオンがカルシウム供給管１７から攪拌部２内に供給されて、このカルシウムイオンが攪拌部２内の原水Ｄ中のリン酸イオンと反応して、
反応式：５Ｃａ２＋＋３Ｐ０４３−＋ＯＨ−→Ｃａ５（ＰＯ４）３ＯＨ
のように、攪拌部２内に懸濁する晶析材としてのヒドロキシアパタイトの微粒子結晶に晶析されて除去されて処理水Ｆとされる。
【００２８】
さらに、攪拌部２には、この攪拌部２内の原水Ｄを攪拌させる攪拌手段としての攪拌装置２１が取り付けられている。この攪拌装置２１は、攪拌部２内に貯留され、ヒドロキシアパタイトの微粒子結晶が晶析材として懸濁された原水Ｄの攪拌を容易にさせる。また、この攪拌装置２１は、攪拌部２内の原水Ｄを回転により攪拌させる攪拌用プロペラ２２が先端部に取り付けられたシャフト２３を備えている。このシャフト２３は、攪拌部２の胴体部３の同心状である中央に上下方向に軸方向を向けた状態で回転可能に配設されており、先端部が攪拌部２内の底面部４の中央まで挿入されている。さらに、このシャフト２３の基端部である上端部には、このシャフト２３を回転させる駆動手段としてのモータ２４が取り付けられている。そして、攪拌装置２１は、モータ２４を駆動させてシャフト２３を回転駆動させることにより、このシャフト２３の回転に伴って攪拌用プロペラ２２が回転して、攪拌部２内の原水Ｄを下方へと流動させて、この原水Ｄを攪拌させる。
【００２９】
また、この攪拌部２の胴体部３の内側には、この胴体部３の内周面との間で固液分離部３１を形成させる略円筒状の隔壁３２が、攪拌部２の胴体部３の内側面から離間されて取り付けられている。この隔壁３２は、下部が円錐状に広がっている。すなわち、この隔壁３２は、攪拌部２の開口部６よりも下側である胴体部３の内側に位置し、上方から下方に向けて外周側に向けて傾斜した截頭円錐面状の傾斜壁部３３を備えている。そして、この傾斜壁部３３の上側には、上端部が攪拌部２の開口部６よりも上方に向けて突出した円筒状の突出筒部３４が一体的に設けられている。
【００３０】
この結果、固液分離部３１は、攪拌部２の胴体部３の内周面と、隔壁３２の傾斜壁部３３および突出壁部３４それぞれの外周面との間に形成されている。この固液分離部３１は、攪拌部２内に貯留されリン酸イオンが晶析された処理水Ｆが、晶析材とともに下方から流入し、この処理水Ｆから晶析材を固液分離させて、この処理水Ｆを攪拌部２の開口部６から系外へと取り出すとともに、晶析材を攪拌部２内へと戻す。
【００３１】
また、この固液分離部３１は、隔壁３２の傾斜壁部３３の内側に位置する部分の断面積が下方から上方に向けて徐々に大きくなるように構成されている。さらに、この固液分離部３１は、隔壁３２の突出筒部３４の内側に位置する部分の水平方向に沿った断面積が下方から上方に向けて等しくなるように構成されている。さらに、この固液分離部３１は、この固液分離部３１での処理水Ｆの滞留時間が１０分以上２時間以下、好ましくは３０分以上１時間以下となるように構成されている。また、この固液分離部３１は、この固液分離部３１での処理水Ｆの水面積負荷が０．５ｃｍ／分（ｃｍ３／ｃｍ２・分）以上５ｃｍ／分以下、好ましくは０．９ｃｍ／分以上１．８ｃｍ／分以下となるように構成されている。
【００３２】
そして、攪拌部２の開口部６の外周縁には、固液分離部３１にて固液分離された後の処理水Ｆを集水させる集水装置４１が取り付けられている。この集水装置４１は、攪拌部２の胴体部３と同心状の円筒状である周縁壁部４２を備えており、この周縁壁部４２の下端縁と、攪拌部２の胴体部３の外周面との間が円環平板状の底面壁部４３により連結されて閉塞されている。すなわち、この集水装置４１は、攪拌部２の下方から固液分離部３１へと流入し、この固液分離層３１にて晶析材が固液分離された後に攪拌部２の開口部６から越流、すなわちオーバーフローした処理水Ｆを集水して系外へと排出させる。
【００３３】
このように、攪拌部２内のヒドロキシアパタイトの微粒子結晶が晶析材として懸濁されたリン酸イオンを含む原水ＤのｐＨをｐＨ制御装置１１にて６．０以上に調整するとともに、この攪拌部２内の原水Ｄにカルシウム供給装置１６にてカルシウム溶液を加えて、この原水Ｄ中のリンとカルシウムとのモル比が３：５よりもカルシウムイオンの濃度が２０ｍｇ／Ｌ以上多くなるように調整しつつ攪拌して、晶析材にリン酸イオンをヒドロキシアパタイトとして晶析させる。
【００３４】
この後、原水Ｄ中のリン酸イオンが晶析材にて晶析された処理水Ｆを攪拌装置２１による攪拌にて下方から固液分離部３１へと流入させて、この固液分離部３１にて処理水Ｆから晶析材を固液分離させ、この処理水Ｆを攪拌部２の開口部６から越流させて集水装置４１へと集水させ、系外へと排出させるとともに、この固液分離部３１にて固液分離された晶析材を攪拌部２の内部へと戻す。
【００３５】
したがって、攪拌部２に二重の円筒状のいわゆるドラフトチューブを設けることなく、この攪拌部２の開口部６の内側に固液分離部３１を設けただけの構成であるので、この攪拌部２内が完全な混合状態に近い状態となるようにすることにより、原水Ｄ、カルシウム溶液、アルカリ溶液それぞれの流入による不飽和度の部分的な上昇を抑制できる。
【００３６】
このため、安定した晶析反応を実現できるとともに、固液分離部３１にて処理水Ｆから固液分離された晶析材が攪拌部２へと自動的に戻るので、この攪拌部２内の全域に晶析材を分布させることによって、この攪拌部２内の原水Ｄを効率良く晶析材に晶析でき、安定したリン除去性能を実現できる。
【００３７】
ここで、ヒドロキシアパタイトの微粒子結晶は成長すると粒径が１００μｍ以上となり、沈降速度も速く、簡単に固液分離できるようになる。しかし、こうした結晶はそれ以上成長することがなく、攪拌部２でのリン除去性能が悪くなってしまう。ここで、リン除去に影響するのは、粒径が２０μｍ以下であるヒドロキシアパタイトの微細な微粒子結晶であり、こうした結晶の攪拌部２での存在量を増加させることがリン除去性能に影響を及ぼすことになる。
【００３８】
しかし、粒径が２０μｍ以下であるヒドロキシアパタイトの微細な微粒子結晶は、沈降速度が遅く、固液分離部３１での分離性能も悪くなる。このため、固液分離部３１での条件を、粒径が２０μｍ以下であるヒドロキシアパタイトの微細な微粒子結晶でも固液分離して回収できるようにすることにより、攪拌部２での処理効率を向上できるとともに、処理水Ｆ中のヒドロキシアパタイトの微細な微粒子結晶の流出を防止でき、このヒドロキシアパタイトの微細な微粒子結晶である晶析物の回収量を増加できる。
【００３９】
そこで、攪拌部２内で成長した晶析材のみではなく、この晶析材としてのヒドロキシアパタイトの微粒子結晶を固液分離部３１にて効率良く分離するために、この固液分離部３１での処理水Ｆの滞留時間を１０分以上２時間以下とするとともに、この固液分離部３１での処理水Ｆの水面積負荷を０．５ｃｍ／分以上５ｃｍ／分以下とすることにより、実験的に、この固液分離部３１でのヒドロキシアパタイトの微粒子結晶の詰まりを防止できるから、この固液分離部３１から集水装置４１へのヒドロキシアパタイトの微粒子結晶の流出を防止できる。
【００４０】
同時に、この固液分離部３１にて固液分離された処理水Ｆの水質を向上でき、攪拌部２内のヒドロキシアパタイトの微粒子結晶の濃度を高濃度に維持できるので、攪拌部２でのリン除去性能の低下を防止でき、安定したリン除去性能を長期間に亘って維持できる。よって、攪拌部２でのリン除去性能を長期に渡って安定でき、品質が安定し純度が高く肥料などとして有効利用できるヒドロキシアパタイトの微粒子結晶としてリン資源を回収できる。
【００４１】
【実施例】
（実施例１）
し尿処理場から排出される高負荷脱窒膜処理水を原水Ｄとして、図１に示すリン資源回収装置１でリンの回収実験を実施した。
【００４２】
まず、原水Ｄを測定したところ、ｐＨが７．２以上７．７以下で、ＰＯ４−Ｐ濃度が３０ｍｇ／Ｌ以上４０ｍｇ／Ｌ以下で、カルシウム（Ｃａ）濃度が４０ｍｇ／Ｌであった。
【００４３】
そして、この原水Ｄを内径寸法が６０ｃｍで高さ寸法が１００ｃｍである円筒状の攪拌部２に流入させて貯留させた。このとき、この攪拌部２の全容積を２４０Ｌとし、この攪拌部２に貯留される原水Ｄの有効容積を１６０Ｌとし、固液分離部３１の容積を８０Ｌとした。また、この固液分離部３１の表面積を０．１５７ｍ２とした。
【００４４】
さらに、この攪拌部２に別途合成した晶析材としてのヒドロキシアパタイトの微粒子結晶を１００００ｍｇ／Ｌ添加して、この攪拌部２内の原水Ｄを攪拌装置２１にて攪拌させて、この原水Ｄにヒドロキシアパタイトの微粒子結晶を懸濁させた。
【００４５】
この後、攪拌部２での原水Ｄの滞留時間を２時間として、この原水Ｄを通水させるとともに、この原水Ｄにカルシウム供給装置１６を用いてカルシウム溶液を添加して、この原水Ｄ中のカルシウムイオンの濃度（ｍｇ／Ｌ）を、ＰＯ４−Ｐ濃度（ｍｇ／Ｌ）の２．１５倍＋９０ｍｇ／Ｌとなるように添加するとともに、この原水Ｄにアルカリ供給装置１３にて水酸化ナトリウムを添加して、この原水ＤのｐＨを７．３に調整した。
【００４６】
そして、この攪拌部２の固液分離部３１から処理水Ｆを取り出した。このとき、この固液分離部３１での処理水Ｆの滞留時間が１時間となり、かつ、この固液分離部３１での処理水Ｆの水面積負荷が０．８８ｃｍ／分となるように運転した。
【００４７】
さらに、このときの攪拌部２内の原水Ｄ中の晶析物の濃度と水質の動きを測定したところ、図２および図３に示すように、運転開始から３４日間に渡り６０％以上７０％以下のリン酸イオンが安定して除去でき、これに伴い攪拌部２内の晶析物の濃度も増加した。そして、運転開始から７日後に、攪拌部２内の晶析物の濃度が２００００ｍｇ／Ｌとなったので、この攪拌部２のバルブ５から晶析物の引き抜きを開始した。
【００４８】
この時点での攪拌部２内の晶析物の総質量は３２００ｇであり、原水Ｄの平均ＰＯ４−Ｐ濃度を３５ｍｇ／Ｌとし除去率を６５％とすると、１日に約２５０ｇの晶析物を生成できる。これは約１３日で攪拌部２内の晶析物が入れ替わることとなり、この攪拌部２内の晶析物の濃度が２００００ｍｇ／Ｌとなってから２７日間に渡って性能を維持できたことから、新しく生成した晶析物が良好な脱リン性能を有していることが分かる。さらに、運転期間中の処理水ＦのＳＳ濃度は２ｍｇ／Ｌ以上５ｍｇ／Ｌ以下であり、固液分離部３１での固液分離性能も良好であった。
【００４９】
また、運転期間中の引き抜き晶析物の乾燥重量は合計６７００ｇであり、リン酸イオンの除去総量とヒドロキシアパタイトとしての引き抜き総量はほぼ収支が一致した。
【００５０】
さらに、運転開始から３４日目に攪拌部２内の晶析物をバルブ５から引き出して成分分析した。
【００５１】
【表１】
2004321992.tif 000003
【００５２】
この結果、３４日目に引き抜いた晶析物のく溶性リン酸含有率は３２．５％であり、この晶析物における砒素（Ａｓ）、カドミウム（Ｃｄ）、水銀（Ｈｇ）、鉛（Ｐｂ）などの重金属の含有量が、表１に示すように非常に少なく、この晶析物を肥料として有効利用できることが分かった。
【００５３】
（実施例２）
上記実施例１と同様のリン資源回収装置１によりカルシウム添加量と調整ｐＨとを変化させてリンの回収実験を実施した。
【００５４】
まず、原水Ｄを測定したところ、ｐＨが７．３以上７．８以下で、ＰＯ４−Ｐ濃度が２５ｍｇ／Ｌ以上３５ｍｇ／Ｌ以下で、カルシウム（Ｃａ）濃度が４０ｍｇ／Ｌであった。
【００５５】
このとき、攪拌部２にはすでにＭＬＳＳとして約２００００ｍｇ／Ｌのアパタイト結晶が懸濁した。また、原水Ｄへのカルシウムの添加量を、この原水ＤのＰＯ４−Ｐ濃度の２．１５倍とし、この原水Ｄ中のカルシウムイオン濃度が、この原水ＤのＰＯ４−Ｐ濃度の２．１５倍＋４０ｍｇ／Ｌとなるように調整した。さらに、攪拌部２でのｐＨを８．３に調整した。
【００５６】
この結果、図５に示す原水Ｄと処理水Ｆとの水質の動きから、攪拌部２内のカルシウムイオン濃度を低下させても、この攪拌部２内の調整ｐＨ値を上げることにより、４０％以上５０％以下のリン酸イオン除去を安定させて達成できる。
【００５７】
（実施例３）
上記実施例１と同様のリン資源回収装置１により固液分離部３１での滞留時間を変化させてリンの回収実験を実施した。
【００５８】
まず、原水Ｄを測定したところ、ｐＨが７．０以上７．５以下で、ＰＯ４−Ｐ濃度が３０ｍｇ／Ｌ以上４０ｍｇ／Ｌ以下で、カルシウム（Ｃａ）濃度が４０ｍｇ／Ｌであった。
【００５９】
このとき、攪拌部２にはすでにＭＬＳＳとして約２００００ｍｇ／Ｌのアパタイト結晶が懸濁した。また、原水Ｄ中のカルシウムイオン濃度が、この原水ＤのＰＯ４−Ｐ濃度の２．１５倍＋９０ｍｇ／Ｌとなるように調整した。さらに、攪拌部２でのｐＨを７．３に調整した。
【００６０】
この結果、図６に示す原水Ｄと処理水Ｆとの水質の動きから、３０％以上４０％以下のリン酸イオン除去を達成できた。さらに、固液分離部３１での処理水Ｆの滞留時間が３０分となり、この固液分離部３１での水面積負荷が１．７７ｃｍ／分となるようにした結果、処理水ＦのＳＳ濃度が平均して５．５ｍｇ／Ｌに留まったので、固液分離部３１での固液分離性能は良好であった。
【００６１】
また、得られた晶析物の密度は２．６ｇ／ｃｍ３であり、９０％平均径も約９０μｍと大きく、顆粒状であり、９９％以上の晶析物が５ｃｍ／分以上の沈降速度であったことから、固液分離部３１での滞留時間の短縮が可能である。さらに、この固液分離部３１での水面積負荷を５ｃｍ／分とした場合の滞留時間は、約１０分程度であった。
【００６２】
なお、上記各実施例では、攪拌部２の胴体部３を円筒状にし、この胴体部３の内側に隔壁３２を取り付けて、これら胴体部３と隔壁３２との間で固液分離部３１を構成させたが、図４に示す本発明の第２の実施の形態のように、攪拌部２の胴体部３の中間部を下方から上方に向けて外側へと傾斜させて傾斜面部５１とするとともに、この傾斜面部５１の上部を胴体部３の下側よりも拡径させて円筒状の拡径筒部５２とし、これら傾斜面部５１および拡径筒部５２の内側に、胴体部３の下部の径寸法に等しい径寸法を有する円筒状の隔壁３２を同心状に取り付けて、これら隔壁３２と傾斜面部５１および拡径筒部５２との間を固液分離部３１としても、上記第１の実施の形態と同様の作用効果を奏することができる。
【００６３】
【発明の効果】
請求項１記載のリン資源回収装置によれば、固液分離部での処理水の滞留時間を１０分以上２時間以下とすることにより、この固液分離部での晶析材の詰まりを防止できるから、反応槽でのリン除去性能を長期に渡って安定できるとともに、品質が安定し純度が高いヒドロキシアパタイトの結晶としてリンを回収できる。
【００６４】
請求項２記載のリン資源回収装置によれば、固液分離部での処理水の水面積負荷を０．５ｃｍ／分以上５ｃｍ／分以下とすることにより、この固液分離部での晶析材の詰まりを防止できるから、反応槽でのリン除去性能を長期に渡って安定できるとともに、品質が安定し純度が高いヒドロキシアパタイトの結晶としてリンを回収できる。
【００６５】
請求項３記載のリン資源回収装置によれば、請求項１または２記載のリン資源回収装置の効果に加え、反応槽に貯留され、ヒドロキシアパタイトの結晶が晶析材として懸濁された被処理水を攪拌手段させることにより、この反応槽に貯留された被処理水の調整を容易にできる。
【００６６】
請求項４記載のリン資源回収装置によれば、請求項１ないし３いずれか記載のリン資源回収装置の効果に加え、被処理水を高濃度リン含有排水としても、固液分離部での晶析材の詰まりを防止できるから、反応槽でのリン除去性能を長期に渡って安定できるとともに、品質が安定し純度が高いヒドロキシアパタイトの結晶としてリンを回収できる。
【００６７】
請求項５記載のリン資源回収装置によれば、請求項１ないし４いずれか記載のリン資源回収装置の効果に加え、被処理水をし尿生物処理水としても、固液分離部での晶析材の詰まりを防止できるから、反応槽でのリン除去性能を長期に渡って安定できるとともに、品質が安定し純度が高いヒドロキシアパタイトの結晶としてリンを回収できる。
【図面の簡単な説明】
【図１】本発明のリン資源回収装置の第１の実施の形態を示す説明図である。
【図２】同上リン資源回収装置の運転日数とＰＯ４−Ｐ濃度との関係を示すグラフである。
【図３】同上リン資源回収装置の運転日数と反応槽内の晶析物濃度との関係を示すグラフである。
【図４】本発明の第２の実施の形態のリン資源回収装置を示す説明図である。
【図５】同上リン資源回収装置のカルシウム添加量と調整ｐＨとを変化させた際の運転日数とＰＯ４−Ｐ濃度との関係を示すグラフである。
【図６】同上リン資源回収装置の固液分離部での被処理水の滞留時間を変化させた際の運転日数とＰＯ４−Ｐ濃度との関係を示すグラフである。
【符号の説明】
１    リン資源回収装置
２    反応槽としての攪拌部
１１    ｐＨ調整手段としてのｐＨ制御装置
１６    カルシウム供給手段としてのカルシウム供給装置
２１    攪拌手段としての攪拌装置
３１    固液分離部
Ｄ    被処理水である高濃度リン含有排水としてのし尿生物処理水である原水
Ｆ    処理水
【図１】
2004321992.tif 000004
【図２】
2004321992.tif 000005
【図３】
2004321992.tif 000006
【図４】
2004321992.tif 000007
【図５】
2004321992.tif 000008
【図６】
2004321992.tif 000009